(57)【要約】【課題】ユーザーの利便性を向上させた表示装置、および画像形成装置を提供することである。【解決手段】表示装置１３は、表示部と、表示要求受け付け部１２１と、リスト全長算出部１２２と、表示領域長さ導出部１２３と、判断部１２４と、報知画像生成部１２５と、表示制御部１２６とを備える。判断部１２４は、リスト全長算出部１２２により算出されたリスト３２の全長が、表示領域長さ導出部１２３により導出された表示領域２１０の長さよりも長いか否かを判断する。報知画像生成部１２５は、判断部１２４によりリスト３２の全長が表示領域２１０の長さよりも長いと判断されれば、表示領域２１０に表示されているリスト以外の領域も存在する旨を報知する報知画像を生成する。表示制御部１２６は、報知画像生成部１２５により報知画像が生成されれば、表示領域２１０にリストの一部を表示する際に、リストの一部の背景に報知画像を表示するよう制御する。【選択図】図６
2018112648.tif 000002
【特許請求の範囲】
【請求項１】
複数の項目名のデータを記憶する記憶部と、
複数の前記項目名を表示する矩形状の表示領域を備える表示部と、
前記記憶部に記憶された複数の前記項目名を前記表示領域に表示するように表示の要求を受け付ける表示要求受け付け部と、
前記表示要求受け付け部により複数の前記項目名の表示の要求を受け付ければ、表示する前記項目名を並べて形成されるリストのうちの前記項目名の並び方向の全長を算出するリスト全長算出部と、
前記項目名の前記並び方向の前記表示領域の長さを導出する表示領域長さ導出部と、
前記リスト全長算出部により算出された前記リストの全長が、前記表示領域長さ導出部により導出された前記表示領域の長さよりも長いか否かを判断する判断部と、
前記判断部により前記リストの全長が前記表示領域の長さよりも長いと判断されれば、前記表示領域に表示されている前記リスト以外の領域も存在する旨を報知する報知画像を生成する報知画像生成部と、
前記報知画像生成部により前記報知画像が生成されれば、前記表示領域に前記リストの一部を表示する際に、前記リストの一部の背景に前記報知画像を表示するよう制御する表示制御部とを備える、表示装置。
【請求項２】
前記報知画像生成部は、前記リストの全長を長辺とした仮想の矩形状の仮リストの対角線を前記報知画像として生成する、請求項１に記載の表示装置。
【請求項３】
前記報知画像生成部は、前記対角線によって仕切られる一方の領域の色と前記対角線によって仕切られる他方の領域の色とを異ならせて前記報知画像を生成する、請求項２に記載の表示装置。
【請求項４】
前記報知画像生成部は、前記リストの全長を長辺とした仮想の矩形状の仮リストのうち、短辺の中央部と前記短辺を含まない一対の前記長辺の一方側のそれぞれの端部とを結んだ第一の線分および第二の線分のそれぞれを前記報知画像として生成する、請求項１に記載の表示装置。
【請求項５】
前記報知画像生成部は、前記第一の線分および前記第二の線分によって仕切られたそれぞれの領域の色を異ならせて前記報知画像を生成する、請求項４に記載の表示装置。
【請求項６】
前記報知画像生成部は、前記表示領域に現在表示されている前記リストの一部から前記リストの残部がある位置を指し示す画像を前記報知画像として生成する、請求項１〜請求項５のいずれか１項に記載の表示装置。
【請求項７】
前記報知画像生成部は、スワイプする手の形状の報知画像を生成する、請求項６に記載の表示装置。
【請求項８】
前記報知画像生成部は、現在前記表示領域に表示されている前記リストの一部が、前記リストの全体に対してどの位置にあるかを指し示す画像を前記報知画像として生成する、請求項１〜請求項７のいずれか１項に記載の表示装置。
【請求項９】
前記報知画像生成部は、人物が走っていることを指し示す画像を前記報知画像として生成する、請求項８に記載の表示装置。
【請求項１０】
前記表示部は、タッチパネル型式である、請求項１〜請求項９のいずれか１項に記載の表示装置。
【請求項１１】
画像を形成する画像形成部と、前記画像形成部における画像形成に関する情報を表示する表示装置とを含む画像形成装置であって、
前記表示装置は、請求項１〜請求項１０のいずれか１項に記載の表示装置である、画像形成装置。
【発明の詳細な説明】
【技術分野】
【０００１】
この発明は、表示装置、および画像形成装置に関するものである。
【背景技術】
【０００２】
表示装置において、複数の項目名を並べて形成されるリストを表示部に表示し、スクロール動作によって、表示対象を変更する技術が知られている。
【０００３】
ここで、スクロール動作により表示部の表示対象を変更することができることをユーザーに気付かせる技術が、特開２０１２−１２８７３５号公報（特許文献１）に開示されている。
【０００４】
特許文献１に開示の画像形成装置は、表示制御部と、入力制御部と、通知部とを備える。表示制御部は、複数の機能にそれぞれ対応する複数のボタンであって所定方向に仮想的に配列された複数のボタンのうち表示対象範囲内の一部のボタンを表示対象ボタンとして表示部に表示する。入力制御部は、表示対象範囲を所定方向に仮想的に移動して表示対象ボタンを変更するスクロール指示入力を受け付ける。通知部は、指示入力部の存在をユーザーに報知する報知動作を制御する。
【先行技術文献】
【特許文献】
【０００５】
【特許文献１】特開２０１２−１２８７３５号公報
【発明の概要】
【発明が解決しようとする課題】
【０００６】
スクロール動作により表示部の表示対象を変更することができることをユーザーに気付かせるために、表示部の周縁部にスクロールバーが形成される。しかしながら、表示部の周縁部に形成されるために、ユーザーに気付かれない可能性がある。
【０００７】
また、特許文献１に開示の技術は、スクロール指示入力を受け付けるスライダを有し、スライダを所定方向に移動させる報知動作を行うことで、ユーザーに気付かせるようにするものである。しかしながら、スライダの大きさによって、ユーザーに気付かれない可能性がある。
【０００８】
この発明の目的は、ユーザーの利便性を向上させた表示装置、および画像形成装置を提供することである。
【課題を解決するための手段】
【０００９】
この発明の一の局面において表示装置は、記憶部と、表示部と、表示要求受け付け部と、リスト全長算出部と、表示領域長さ導出部と、判断部と、報知画像生成部と、表示制御部とを備える。記憶部は、複数の項目名のデータを記憶する。表示部は、複数の項目名を表示する矩形状の表示領域を備える。表示要求受け付け部は、記憶部に記憶された複数の項目名を表示領域に表示するように表示の要求を受け付ける。リスト全長算出部は、表示要求受け付け部により複数の項目名の表示の要求を受け付ければ、表示する項目名を並べて形成されるリストのうちの項目名の並び方向の全長を算出する。表示領域長さ導出部は、項目名の並び方向の表示領域の長さを導出する。判断部は、リスト全長算出部により算出されたリストの全長が、表示領域長さ導出部により導出された表示領域の長さよりも長いか否かを判断する。報知画像生成部は、判断部によりリストの全長が表示領域の長さよりも長いと判断されれば、表示領域に表示されているリスト以外の領域も存在する旨を報知する報知画像を生成する。表示制御部は、報知画像生成部により報知画像が生成されれば、表示領域にリストの一部を表示する際に、リストの一部の背景に報知画像を表示するよう制御する。
【発明の効果】
【００１０】
このような表示装置によれば、表示部の表示領域に表示されているリスト以外の領域も存在する旨を知らせる報知画像が表示されるため、リストに残部があることをユーザーが把握することができる。また、リストの一部の背景に報知画像が表示されるため、ユーザーにとって視認しやすい。従って、このような表示装置によれば、ユーザーの利便性を向上させることができる。
【図面の簡単な説明】
【００１１】
【図１】この発明の一実施形態に係る表示装置を複合機に適用した場合の複合機の外観を示す概略図である。
【図２】図１に示す複合機の構成を示すブロック図である。
【図３】ハードディスクに記憶されたリストの内容を示す概念図である。
【図４】表示画面の概略的な構成を示す外観図である。
【図５】制御部の構成を示すブロック図である。
【図６】表示画面の表示領域に報知画像を表示する場合の処理の流れを示すフローチャートである。
【図７】報知画像の一例を示す図である。
【図８】報知画像をリストの背景に表示した一例を示す図である。
【図９】報知画像をリストの背景に表示した一例を示す図である。
【図１０】報知画像をリストの背景に表示した一例を示す図である。
【図１１】報知画像の一例を示す図である。
【図１２】報知画像をリストの背景に表示した一例を示す図である。
【図１３】報知画像をリストの背景に表示した一例を示す図である。
【図１４】報知画像をリストの背景に表示した一例を示す図である。
【図１５】報知画像をリストの背景に表示した一例を示す図である。
【図１６】報知画像をリストの背景に表示した一例を示す図である。
【発明を実施するための形態】
【００１２】
以下、この発明の実施の形態を説明する。図１は、この発明の一実施形態に係る表示装置１３を複合機１１に適用した場合の複合機１１の外観を示す概略図である。図２は、図１に示す複合機１１の構成を示すブロック図である。
【００１３】
図１および図２において、複合機１１は、制御部１２と、表示装置１３と、読み取り部１４と、用紙を収容する給紙カセット１６と、記憶部としてのハードディスク１７と、出力部としての画像形成部１５とを備える。
【００１４】
制御部１２は、複合機１１全体の制御を行う。制御部１２は、ＣＰＵ等から構成されており、一時的にデータを記憶する記憶部としての主記憶メモリ１８を含む。表示装置１３は、情報を表示する表示部としての表示画面２１を含む。読み取り部１４は、載置台１９上にセットされた原稿を読み取ることによって原稿の画像を取得する。画像形成部１５は、読み取り部１４により取得された原稿の画像を基に、給紙カセット１６から搬送されてきた用紙に画像を形成して出力する。
【００１５】
ハードディスク１７には、複数の項目名を並べて形成されるリストが記憶される。図３は、ハードディスク１７に記憶されたリスト３２の内容を示す概念図である。図３を参照して、ハードディスク１７の記憶領域１７ａには、リスト３２が記憶されている。リスト３２は、複数の項目名３１が並べられて形成される。なお、項目名３１が並ぶ方向を並び方向Ｄ１とする。リスト３２の縦方向は、矢印Ｄ１で示す向き、またはその逆を示す向きである。リスト３２の横方向は、リスト３２の縦方向に対して垂直な方向である。リスト３２は、複数の項目名３１ａ、３１ｂ、３１ｃ、３１ｄ、３１ｅ、３１ｆ、３１ｇ、３１ｈが縦方向に並べられて、形成されている。項目名３１としては、例えば、部署・部門名、名前、住所、電話番号などがあげられる。リスト３２の項目名３１の並び方向Ｄ１の全長は、Ｌである。リスト３２の項目名３１の並び方向Ｄ１の全長は、リスト３２の項目名３１の数や、項目名３１の文字の大きさ等に基づいて決定される。
【００１６】
次に、上記した表示画面２１の具体的な構成について説明する。図４は、表示画面２１の概略的な構成を示す外観図である。図４を参照して、表示画面２１は、液晶のタッチパネル機能を有しており、ユーザーの指での押圧等により機能の選択等を行うことができる。
【００１７】
表示画面２１は、複数の項目名を表示する表示領域２１０を備える。表示領域２１０は、矩形状の形状を有する。図４を参照して、表示領域２１０は、一対の長辺２１１、２１２と、一対の短辺２１３、２１４とを備える。なお、図４において、表示領域２１０に表示される項目名３１の並び方向Ｄ２は、表示領域２１０の短辺２１３、２１４と平行に形成される。また、表示領域２１０の縦方向は、矢印Ｄ２で示す向き、またはその逆に示す向きである。表示領域２１０の横方向は、縦方向に垂直な方向である。表示領域２１０の横方向であって、短辺２１３から短辺２１４への方向を左方向Ｄ３という。表示領域２１０の一対の長辺２１１、２１２は、横方向に延びる線で表される。表示領域２１０の一対の短辺２１３、２１４は、縦方向に延びる線で表される。表示領域２１０の短辺２１３、２１４の長さは、Ｍ１に予め設定されている。表示領域２１０の長辺２１１、２１２の長さは、Ｍ２に予め設定されている。
【００１８】
次に、複合機１１に備えられる制御部１２の構成について説明する。図５は、制御部１２の構成を示すブロック図である。図５を参照して、制御部１２は、表示要求受け付け部１２１と、リスト全長算出部１２２と、表示領域長さ導出部１２３と、判断部１２４と、報知画像生成部１２５と、表示制御部１２６とを備える。
【００１９】
表示要求受け付け部１２１は、ハードディスク１７に記憶された複数の項目名３１を表示領域２１０に表示するように表示の要求を受け付ける。リスト全長算出部１２２は、表示要求受け付け部１２１により複数の項目名３１の表示の要求を受け付ければ、表示する項目名３１を並べて形成されるリスト３２のうちの項目名３１の並び方向Ｄ１の全長Ｌを算出する。表示領域長さ導出部１２３は、項目名３１の並び方向Ｄ２の表示領域２１０の長さＭ１を導出する。判断部１２４は、リスト全長算出部１２２により算出されたリスト３２の全長Ｌが、表示領域長さ導出部１２３により導出された表示領域２１０の長さＭ１よりも長いか否かを判断する。報知画像生成部１２５は、判断部１２４によりリスト３２の全長Ｌが表示領域２１０の長さＭ１よりも長いと判断されれば、表示領域２１０に表示されているリスト以外の領域も存在する旨を報知する報知画像を生成する。表示制御部１２６は、報知画像生成部１２５により報知画像が生成されれば、表示領域２１０にリスト３２の一部を表示する際に、リスト３２の一部の背景に報知画像を表示するよう制御する。これらの構成については、後に詳述する。
【００２０】
次に、表示装置１３の表示画面２１の表示領域２１０にリスト３２の一部を表示する際に、リスト３２の一部の背景に報知画像を表示する場合について説明する。図６は、表示画面２１の表示領域２１０に報知画像を表示する場合の処理の流れを示すフローチャートである。
【００２１】
図６を参照して、まず、ユーザーは、表示領域２１０にリスト３２を表示するために、表示領域２１０の所定箇所を押圧する。ユーザーの所定箇所の押圧を検知することにより、表示要求受け付け部１２１は、ハードディスク１７に記憶された複数の項目名３１を表示領域２１０に表示するように表示の要求を受け付ける（図６において、ステップＳ１１、以下、「ステップ」を省略する）。
【００２２】
次に、表示の要求を受け付けると、表示する項目名３１を並べて形成されたリスト３２をハードディスク１７から抽出する。そして、リスト全長算出部１２２は、抽出されたリスト３２の項目名３１の並び方向Ｄ１の全長を算出する（Ｓ１２）。図３を参照して、リスト３２の項目名３１の並び方向Ｄ１の全長は、Ｌと算出される。
【００２３】
次に、表示領域長さ導出部１２３により、表示領域２１０に表示される項目名３１の並び方向Ｄ２の表示領域２１０の長さを導出する（Ｓ１３）。図４を参照して、表示領域２１０に表示される項目名３１の並び方向Ｄ２に平行な表示領域２１０の短辺２１３、２１４の長さを導出する。図４から、表示領域２１０に表示される項目名３１の並び方向Ｄ２の表示領域２１０の長さは、Ｍ１と導出される。この長さＭ１は、表示領域２１０のサイズにより予め定められている。
【００２４】
次に、算出されたリスト３２の全長Ｌが、導出された表示領域２１０の長さＭ１よりも長いか否かを判断する（Ｓ１４）。リスト３２の全長Ｌが、表示領域２１０の長さＭ１よりも長いと判断されれば（Ｓ１４においてＹＥＳ）、報知画像生成部１２５により、表示領域２１０に表示されているリスト以外の領域も存在する旨を報知する報知画像が生成される（Ｓ１５）。そして、表示領域２１０にリスト３２の一部を表示する際に、リスト３２の一部の背景に報知画像を表示する（Ｓ１６）。
【００２５】
図７は、生成された報知画像の一例を示す図である。図７を参照して、図３に示すリスト３２から、仮想の矩形状の仮リスト３３が形成される。仮リスト３３は、主記憶メモリ１８に一時的に記憶される。仮リスト３３は、一対の長辺３３１、３３２と、一対の短辺３３３、３３４を備える。一対の長辺３３１、３３２の長さＮ１は、リスト３２の全長Ｌと同じ長さである。また、一対の短辺３３３、３３４の長さＮ２は、表示領域２１０の長辺２１１、２１２の長さＭ２と同じ長さである。矩形状の仮リスト３３の長辺３３１における一方の端部と、短辺３３３における長辺３３１の他方の端部と交わる側とは反対側の端部とを結んだ対角線３５の画像が、報知画像として形成される。
【００２６】
図８、図９は、報知画像を表示領域２１０に表示されるリスト３２の背景に表示した一例を示す図である。図８は、リスト３２の前半の項目名３１ａ、３１ｂ、３１ｃ、３１ｄの背景に、報知画像である対角線３５の画像の一部が表示されている。図９は、矢印Ｄ２とは反対方向へのユーザーによるスワイプ動作によって、リスト３２の後半の項目名３１ｅ、３１ｆ、３１ｇ、３１ｈが表示されるようになっている。この場合、報知画像としては、リスト３２の項目名３１の位置に対応した報知画像である対角線３５の画像の一部が表示される。このように、表示領域２１０に表示される対角線３５の画像の一部から構成される報知画像の対角線３５の角度や位置等によって、リスト３２の全長の中からどの部分が表示されているかをユーザーが容易に認識することができる。
【００２７】
このような複合機１１によれば、表示部の表示領域２１０に表示されているリスト３２以外の領域も存在する旨を知らせる報知画像が表示されるため、リスト３２に残部があることをユーザーが把握することができる。また、リスト３２の一部の背景に報知画像が表示されるため、ユーザーにとって視認しやすい。従って、このような表示装置１３によれば、ユーザーの利便性を向上させることができる。
【００２８】
なお、Ｓ１４において、リスト３２の全長Ｌが、表示領域２１０の長さＭ１よりも短いと判断されれば（Ｓ１４においてＮＯ）、リスト３２の全ての項目名３１を表示領域２１０に表示する。
【００２９】
なお、Ｓ１５において生成される報知画像として、以下のような報知画像を形成してもよい。図７を参照して、仮想の矩形状の仮リスト３３の対角線３５によって仕切られる一方の領域３５１の色と、他方の領域３５２の色を異ならせた画像を報知画像として生成するようにしてもよい。図１０は、報知画像を表示領域２１０に表示されるリスト３２の背景に表示した一例を示す図である。図１０を参照して、表示領域２１０に表示される項目名３１は、リスト３２の前半の項目名３１ａ、３１ｂ、３１ｃ、３１ｄを表示している。この場合、リスト３２の項目名３１の位置に対応した上記画像が生成され、リスト３２の項目名３１の背景に上記画像の一部が表示される。なお、ハッチングで示す領域３５１には、色が施されている。
【００３０】
図１１は、報知画像の一例を示す図である。図１１を参照して、図３に示すリスト３２から、仮想の矩形状の仮リスト３３が形成される。仮リスト３３は、主記憶メモリ１８に一時的に記憶される。仮リスト３３は、一対の長辺３３１、３３２と、一対の短辺３３３、３３４を備える。一対の長辺３３１、３３２の長さＮ１は、リスト３２の全長Ｌと同じ長さである。また、一対の短辺３３３、３３４の長さＮ２は、表示領域２１０の長辺２１１、２１２の長さＭ２と同じ長さである。仮リスト３３の短辺３３３の中央部と、短辺３３３を含まない一対の長辺３３１、３３２の一方側のそれぞれの端部とを結んだ第一の線分３６ａおよび第二の線分３６ｂのそれぞれの画像を報知画像として生成するようにしてもよい。図１２は、報知画像を表示領域２１０に表示されるリスト３２の背景に表示した一例を示す図である。図１２では、表示領域２１０に表示される項目名３１は、リスト３２の前半の項目名３１ａ、３１ｂ、３１ｃ、３１ｄを表示している。この場合、リスト３２の項目名３１の位置に対応した第一の線分３６ａおよび第二の線分３６ｂのそれぞれの画像の一部が、リスト３２の項目名３１の背景に表示される。
【００３１】
また、図１１を参照して、第一の線分３６ａおよび第二の線分３６ｂによって仕切られたそれぞれの領域３６１、３６２、３６３の色を異ならせた画像を報知画像として生成するようにしてもよい。領域３６１は、第１の線分３６ａ、第１の線分３６ａの一方の端部と交わる仮リスト３３の長辺３３１、および第１の線分３６ａの他方の端部と交わる仮リスト３３の短辺３３３によって取り囲まれた領域である。領域３６２は、第２の線分３６ｂ、第２の線分３６ｂの一方の端部と交わる仮リスト３３の長辺３３２、および第２の線分３６ｂの他方の端部と交わる仮リスト３３の短辺３３３によって取り囲まれた領域である。領域３６３は、第１の線分３６ａ、第２の線分３６ｂおよび仮リスト３３の短辺３３４によって取り囲まれた領域である。領域３６１と、領域３６２と、領域３６３とは、それぞれ異なる色となるようにしてもよい。また、領域３６１、領域３６２および領域３６３のうち、１つの領域だけを異なる色となるようにしてもよい。
【００３２】
なお、Ｓ１５において生成される報知画像として、表示領域２１０に現在表示されているリスト３２の一部からリスト３２の残部がある位置を指し示す画像を報知画像として生成するようにしてもよい。上記画像として、例えばスワイプする手の形状の画像としてもよい。
【００３３】
ここで、表示領域２１０にスワイプする手の形状の画像が、報知画像として表示される場合について、以下に具体的に説明する。図１３、図１４は、報知画像を表示領域２１０に表示されるリスト３２の背景に表示した一例を示す図である。図１３を参照して、表示領域２１０において、リスト３２の前半の項目名３１ａ、３１ｂ、３１ｃ、３１ｄが表示されると、手の形状の画像３７が表示領域２１０に表示される。手の形状の画像３７は、表示領域２１０の縦方向であって、矢印Ｄ２とは反対の方向に移動するスワイプ動作を行う。図１４を参照して、手の形状３７のスワイプ動作と共に、表示領域２１０に表示される項目名３１が、リスト３２の後半の項目名３１を表示するように変化する。そして、表示領域２１０にリスト３２の後半の項目名３１ｅ、３１ｆ、３１ｇ、３１ｈが表示されると、表示領域２１０はリスト３２の前半の項目名３１ａ、３１ｂ、３１ｃ、３１ｄが表示されるように切り替わる。このようにすることで、表示領域２１０に現在表示されているリスト３２の一部からリスト３２の残部が、表示領域２１０の並び方向Ｄ２に存在することを指し示すことができる。
【００３４】
なお、Ｓ１５において生成される報知画像として、表示領域２１０に表示されているリスト３２の一部が、リスト３２の全体に対してどの位置にあるかを指し示す画像を報知画像として生成するようにしてもよい。上記画像として、人物が走っていることを指し示す画像としてもよい。
【００３５】
ここで、表示領域２１０に人物が走っていることを指し示す画像が、報知画像として表示される場合について、以下に具体的に説明する。図１５、図１６は、報知画像を表示領域２１０に表示されるリスト３２の背景に表示した一例を示す図である。図１５を参照して、表示領域２１０において、リスト３２の前半の項目名３１ａ、３１ｂ、３１ｃ、３１ｄが表示されると、人物の画像は表示領域２１０の左端部の背景に表示される。次に、ユーザーによる矢印Ｄ２とは反対の方向へのスワイプ動作によって、表示領域２１０に表示されるリスト３２の項目名３１が、リスト３２の後半の項目名３１に変化する。表示領域２１０に表示されるリスト３２の項目名３１が変わると同時に、人物の画像３８は矢印Ｄ３の方向に向って移動する。そして、図１６を参照して、表示領域２１０にリスト３２の後半の項目名３１ｅ、３１ｆ、３１ｇ、３１ｈが表示されると、人物の画像３８は表示領域２１０の右端部の背景に表示される。このようにすることで、表示領域２１０に表示されているリスト３２の一部が、リスト３２の全体に対してどの位置にあるかを指し示すことができる。
【００３６】
なお、リスト３２はリスト３２の横方向に複数の項目名３１が並べられて形成されてもよい。また、リスト３２は、表示領域２１０の横方向に並べられて表示するようにしてもよい。このとき、ユーザーによる矢印Ｄ３とは反対の方向のスワイプ動作によって、表示領域２１０に表示される項目名３１は変化する。
【００３７】
なお、複合機１１の制御部１２で制御することとしたが、これに限らず、表示装置１３は、制御部を備え、これにより制御するようにしてもよい。
【００３８】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３９】
この発明に係る表示装置、および画像形成装置は、ユーザーの利便性を向上させることが要求される場合に、特に有効に利用される。
【符号の説明】
【００４０】
１１  複合機、１２  制御部、１２１  表示要求受け付け部、１２２  リスト全長算出部、１２３  表示領域長さ導出部、１２４  判断部、１２５  報知画像生成部、１２６  表示制御部、１３  表示装置、１４  読み取り部、１５  画像形成部、１６  給紙カセット、１７  ハードディスク、１７ａ  記憶領域、１８  主記憶メモリ、１９  載置台、２１  表示画面、２１０  表示領域、２１１  長辺、２１２  長辺、２１３  短辺、２１４  短辺、３１  項目名、３１ａ  項目名、３１ｂ  項目名、３１ｃ  項目名、３１ｄ  項目名、３１ｅ  項目名、３１ｆ  項目名、３１ｇ  項目名、３１ｈ  項目名、３２  リスト、３３  仮リスト、３３１  長辺、３３２  長辺、３３３  短辺、３３４  短辺、３５  対角線、３５１  領域、３５２  領域、３６ａ  第１の線分、３６ｂ  第２の線分、３６１  領域、３６２  領域、３６３  領域、３７  スワイプの手、３８  人物の画像、Ｄ１，Ｄ２  並び方向、Ｄ３  左方向。
【図１】
2018112648.tif 000003
【図２】
2018112648.tif 000004
【図３】
2018112648.tif 000005
【図４】
2018112648.tif 000006
【図５】
2018112648.tif 000007
【図６】
2018112648.tif 000008
【図７】
2018112648.tif 000009
【図８】
2018112648.tif 000010
【図９】
2018112648.tif 000011
【図１０】
2018112648.tif 000012
【図１１】
2018112648.tif 000013
【図１２】
2018112648.tif 000014
【図１３】
2018112648.tif 000015
【図１４】
2018112648.tif 000016
【図１５】
2018112648.tif 000017
【図１６】
2018112648.tif 000018